(57)【要約】【課題】自動運転が手動運転に切り換えられた場合に圧力の安定性を向上できるボイラシステム１を提供する。【解決手段】蒸気圧センサ７で測定される蒸気圧に基づいて蒸気圧が目標圧力値と一致するようにボイラ群２の燃焼量を制御する台数制御装置３を備え、台数制御装置３は、予め、各ボイラ２０の制御上限圧力値が同じ値とならないように、ずらした制御上限圧力値を各ボイラに割り当てることで、台数制御装置３に異常が発生し、全台のボイラが手動運転に切り換えられた場合に、同時に全台待機となることを防ぐ。【選択図】図１
2017026292.tif 000002
【特許請求の範囲】
【請求項１】
ローカル制御部を有し、燃焼率を連続的に変更して燃焼可能な、複数のボイラからなるボイラ群と、
前記ボイラ群において生成された蒸気を集合させる蒸気ヘッダと、
前記蒸気ヘッダの内部の蒸気圧値であるヘッダ圧力値を測定する蒸気圧測定手段と、
前記ヘッダ圧力値が予め設定された目標圧力値と一致するように、前記ボイラ群の燃焼状態を制御する台数制御部と、
を備えるボイラシステムであって、
前記台数制御部は、
前記目標圧力値より大きな値である制御上限圧力値を予め設定し、前記ヘッダ圧力値が前記制御上限圧力値を超える場合、燃焼している全ての前記ボイラの燃焼を停止する全台待機部と、
前記制御上限圧力値及び前記目標圧力値のそれぞれに、所定の値を加算した、第１制御上限圧力値及び第２制御上限圧力値をそれぞれ、上限値及び下限値とする制御上限圧力割当圧力帯域を算出する、圧力帯域算出部と、
前記制御上限圧力割当圧力帯域から、前記ボイラの台数分の圧力値を選択し、選択した各圧力値をそれぞれ各ボイラの仮想台数制御上限圧力値として設定する仮想台数制御上限圧力値設定部と
前記仮想台数制御上限圧力値設定部により前記ボイラに設定された仮想台数制御上限圧力値を前記ボイラに配信する仮想台数制御上限圧力値配信部と、
前記台数制御部に発生した異常を検知する台数制御異常検出部と、
前記台数制御異常検出部が前記台数制御部に発生した異常を検知したとき、前記ボイラをそれぞれ手動運転に移行させる手動運転移行部と、
を備え、
前記手動運転移行部により前記ボイラがそれぞれ手動運転に移行した場合、前記ローカル制御部は、前記ボイラの燃焼状態を制御し、ボイラ圧力値が前記仮想台数制御上限圧力値配信部によって配信された前記仮想台数制御上限圧力値を超える場合、前記ボイラの燃焼を停止する、
ボイラシステム。
【請求項２】
前記所定の値を、前記ボイラの燃焼中に配管内において発生する圧損の値とする、請求項１に記載のボイラシステム。
【請求項３】
前記所定の値を、前記ボイラの燃焼中に配管内において発生する圧損の値に、予め設定された、第１圧力値を加算した値とする、請求項１に記載のボイラシステム。
【請求項４】
前記仮想台数制御上限圧力値設定部は、
前記制御上限圧力割当圧力帯域を、前記ボイラ群のボイラ台数ｎ（ｎ＞１）から１を減算した値（ｎ−１）で分割する圧力帯域分割部と、
第１制御上限圧力値から前記第２制御上限圧力値を含む、前記制御上限圧力割当圧力帯域を分割した境界線の圧力値の大きい値から順番に、前記ボイラの台数分の圧力値を選択する圧力値選択部と、を含む、請求項１乃至請求項３のいずれか１項に記載のボイラシステム。
【請求項５】
前記台数制御部は、さらに、
前記複数のボイラに優先順位を設定する優先順位設定部を有し、
前記仮想台数制御上限圧力値設定部は、さらに、前記圧力値選択部により選択された前記ボイラの台数分の圧力値の大きい値から順番に、前記ボイラの優先順位の高い前記ボイラの仮想台数制御上限圧力値として設定する、請求項４に記載のボイラシステム。
【請求項６】
前記台数制御部に発生した異常は、
前記台数制御部と前記ボイラとの間で通信不良が発生し、前記台数制御部から前記ボイラに対する台数制御信号が不通になること、又は前記台数制御部に電源オフを含む障害が発生し、前記台数制御部が正常に動作できなくなること、又はヘッダ圧力が下がり過ぎて、バックアップ用に設けられた圧力スイッチが働き、前記ボイラに手動運転指令が出ること、又は前記ヘッダ圧力値を測定する前記蒸気圧測定手段に障害が発生し、前記ボイラに手動運転指令が出ること、を含む、請求項１乃至請求項４のいずれか１項に記載のボイラシステム。
【発明の詳細な説明】
【技術分野】
【０００１】
本発明は、蒸気集合部（以下、「蒸気ヘッダ」ともいう）の内部の蒸気圧値が目標圧力値と一致するように、制御対象のボイラの燃焼量を制御するボイラシステムに関する。
【背景技術】
【０００２】
複数台の燃焼率を連続的に変更して燃焼可能な連続制御ボイラからなるボイラ群により構成されるボイラシステムでは、ボイラ群において生成された蒸気を蒸気ヘッダに集合し、この蒸気ヘッダから負荷機器に対して蒸気を供給する。このようなボイラシステムでは、通常、蒸気ヘッダ内の蒸気の圧力値（以下、「ヘッダ圧力値」ともいう）が目標圧力値に一致するように、台数制御装置が、制御対象のボイラ（以下「自動運転ボイラ」ともいう）の燃焼量を制御することとしている。
このため、蒸気消費量の変動に対してヘッダ圧力値を目標圧力値に保つように、ボイラで発生すべき蒸気量をＰＩアルゴリズム又はＰＩＤアルゴリズムにより制御（以下、「ＰＩ又はＰＩＤ制御」ともいう）する手法を用いたボイラシステムが提案されている（例えば、特許文献１参照）。
【０００３】
ところで、ＰＩアルゴリズム又はＰＩＤアルゴリズムによる蒸気量の制御では、圧力安定性を重要視する観点から、予め制御上限圧力値を設けておき、ヘッダ圧力値が制御上限圧力値を超えた場合に、全てのボイラを燃焼停止状態（以下、「全台待機」ともいう）とする台数制御を行うことがある。
同様に、圧力安定性を重要視する観点から、予め制御上限圧力ディファレンシャルを設定しておき、ヘッダ圧力値が制御上限圧力値よりも制御上限圧力ディファレンシャル分下まわった場合に、全てのボイラに対して燃焼指示をする台数制御を行うことがある。
【０００４】
このようなボイラシステムにおいては、仮に、台数制御装置に異常が発生して、各ボイラを制御することができなくなった場合に、全ての自動運転ボイラが台数制御対象外のボイラ（以下、「手動運転ボイラ」ともいう）として、燃焼量を制御する。
【０００５】
一般に、手動運転では、各ボイラに予め設定しておいた圧力設定値に基づいて、ローカル制御部により燃焼制御が行われる。なお、ボイラが連続制御ボイラの場合、ＰＩ又はＰＩＤアルゴリズムによる燃焼制御が行われる。
ボイラが連続制御ボイラの場合、当該ボイラ自身の圧力設定値として、停止圧力値、ローカル目標圧力値、及び停止圧力ディファレンシャルを予め設定することができる。
そうすることで、手動運転時には、ボイラ自身の缶内の蒸気圧力値であるボイラ圧力値がローカル目標圧力値に一致するように、ボイラの備えるローカル制御部により燃焼制御される。
また、ボイラ圧力の安定性を重要視する観点から、ボイラ圧力値が停止圧力値を超えると、ボイラの燃焼を停止するようになっている。逆に、ボイラ圧力値が、停止圧力値から停止圧力ディファレンシャル値を引いた値（以下、「ローカル制御下限圧力値」ともいう）を下回ると、燃焼を開始するようになっている。
通常、手動運転時においては、全ボイラに予め設定する圧力設定値を同じ値に設定することが一般的である。
【０００６】
これに対して、複数の段階的な燃焼位置で燃焼可能な段階値制御ボイラを複数有するボイラ群により構成されるボイラシステムでは、予め蒸気圧制御範囲が設定され、ヘッダ圧力値が当該蒸気圧制御範囲内に収まるように、台数制御装置が、制御対象のボイラの燃焼量を制御している。このため、蒸気圧制御範囲を複数の圧力帯に区分し、圧力帯毎に、対応する燃焼パターン、即ち、各段階値制御ボイラの燃焼状態（燃焼位置）を設定しておき、ヘッダ圧力値がどの圧力帯に対応するかによって各段階値制御ボイラの燃焼位置を決定する燃焼制御が行われている。
段階値制御ボイラを複数有するボイラ群により構成されるボイラシステムにおいて、仮に、台数制御装置に異常が発生して、各ボイラを制御することできなくなった場合に、全ての自動運転ボイラが台数制御対象外のボイラとして燃焼量を制御する場合がある。
このような場合に備えて、各段階値制御ボイラ毎に、予め仮想的な蒸気圧制御範囲及び圧力帯を配信しておき、台数制御装置に異常が発生して、各段階値制御ボイラを制御できなくなった場合に、各段階値制御ボイラ毎に、ボイラ圧力値が仮想的な蒸気圧制御範囲におけるどの圧力帯に対応するかによって、各ローカル制御部が各段階値制御ボイラを個別に制御することが提案されている（例えば、特許文献２参照）。
【先行技術文献】
【特許文献】
【０００７】
【特許文献１】特開２００２−０７３１０５号公報
【特許文献２】特開２００６−３１７１０４号公報
【発明の概要】
【発明が解決しようとする課題】
【０００８】
複数の連続制御ボイラから構成されるボイラシステムにおいて、台数制御装置に異常が発生して、自動運転から手動運転に切り換えられる場合、全ボイラに予め設定する圧力設定値を同じ値に設定することが一般的であった。
【０００９】
しかしながら、全ボイラの圧力設定値を同じ値とした場合に、仮に台数制御装置に異常が発生して、全ボイラが自動運転から手動運転に切り換えられたとき、各ボイラは、当該ボイラのボイラ圧力値とボイラ圧力設定値によって、それぞれ独立して燃焼制御されるため、必要な負荷量に対して必要以上の台数が燃焼するおそれがある。特に、蒸気負荷が低負荷の場合、例えば、蒸気負荷が全ボイラが最大燃焼率の２０％の燃焼量として出力する出力蒸気量を下回る低負荷の場合、各ボイラの圧力設定値が同じ値の場合、全台のボイラが燃焼することにより、ヘッダ圧力値が上昇することが予想される。
その場合、各ボイラのボイラ圧力値が停止圧力値を超えると、全台が一斉に燃焼を停止し待機状態となる。その後、全台が一斉に待機状態となったことから、圧力値が下降し、ボイラ圧力値が制御下限圧力値を下回ると、今度は全台が一斉に燃焼を開始することとなる。
このように、ボイラ圧力値が、停止圧力値と、制御下限圧力値との間を繰り返すことで、ボイラシステムが、全台待機と全台燃焼を繰り返す、ハンチング動作が発生する可能性がある。
【００１０】
本発明は、複数台の連続制御ボイラからなるボイラ群により構成されるボイラシステムにおいて、特に、蒸気負荷が低負荷の場合、仮に台数制御装置に異常が発生して、全ボイラを自動運転から手動運転に切り換えたときに、ボイラ圧力値が大幅に上昇し、全てのボイラが燃焼停止状態となる全台待機を回避させるとともに、ボイラシステムが全台待機と全台燃焼を繰り返すハンチング動作を防止し、ボイラ圧力値を所定の目標圧力値に収束させて、圧力の安定性を向上できるボイラシステムを提供することを目的とする。
【課題を解決するための手段】
【００１１】
本発明は、ローカル制御部を有し、燃焼率を連続的に変更して燃焼可能な、複数のボイラからなるボイラ群と、前記ボイラ群において生成された蒸気を集合させる蒸気ヘッダと、前記蒸気ヘッダの内部の蒸気圧値であるヘッダ圧力値を測定する蒸気圧測定手段と、前記ヘッダ圧力値が予め設定された目標圧力値と一致するように、前記ボイラ群の燃焼状態を制御する台数制御部と、を備えるボイラシステムであって、前記台数制御部は、前記目標圧力値より大きな値である制御上限圧力値を予め設定し、前記ヘッダ圧力値が前記制御上限圧力値を超える場合、燃焼している全ての前記ボイラの燃焼を停止する全台待機部と、前記制御上限圧力値及び前記目標圧力値のそれぞれに、所定の値を加算した、第１制御上限圧力値及び第２制御上限圧力値をそれぞれ、上限値及び下限値とする制御上限圧力割当圧力帯域を算出する、圧力帯域算出部と、前記制御上限圧力割当圧力帯域から、前記ボイラの台数分の圧力値を選択し、選択した各圧力値をそれぞれ各ボイラの仮想台数制御上限圧力値として設定する仮想台数制御上限圧力値設定部と、前記仮想台数制御上限圧力値設定部により前記ボイラに設定された仮想台数制御上限圧力値を前記ボイラに配信する仮想台数制御上限圧力値配信部と、前記台数制御部に発生した異常を検知する台数制御異常検出部と、前記台数制御異常検出部が前記台数制御部に発生した異常を検知したとき、前記ボイラをそれぞれ手動運転に移行させる手動運転移行部と、を備え、前記手動運転移行部により前記ボイラがそれぞれ手動運転に移行した場合、前記ローカル制御部は、前記ボイラの燃焼状態を制御し、ボイラ圧力値が前記仮想台数制御上限圧力値配信部によって配信された前記仮想台数制御上限圧力値を超える場合、前記ボイラの燃焼を停止する、ボイラシステムに関する。
【００１２】
また、前記所定の値を、前記ボイラの燃焼中に配管内において発生する圧損の値とすることができる。
【００１３】
また、前記所定の値を、前記ボイラの燃焼中に配管内において発生する圧損の値に、予め設定された、第１圧力値を加算した値とすることができる。
【００１４】
また、前記仮想台数制御上限圧力値設定部は、前記制御上限圧力割当圧力帯域を、前記ボイラ群のボイラ台数ｎ（ｎ＞１）から１を減算した値（ｎ−１）で分割する圧力帯域分割部と、第１制御上限圧力値から前記第２制御上限圧力値を含む、前記制御上限圧力割当圧力帯域を分割した境界線の圧力値の大きい値から順番に、前記ボイラの台数分の圧力値を選択する圧力値選択部と、を含むようにすることができる。
【００１５】
また、前記台数制御部は、さらに前記複数のボイラに優先順位を設定する優先順位設定部を有し、前記仮想台数制御上限圧力値設定部は、さらに、前記圧力値選択部により選択された前記ボイラの台数分の圧力値の大きい値から順番に、前記ボイラの優先順位の高い前記ボイラの仮想台数制御上限圧力値として設定することができる。
【００１６】
また、前記台数制御部に発生した異常は、前記台数制御部と前記ボイラとの間で通信不良が発生し、前記台数制御部から前記ボイラに対する台数制御信号が不通になること、又は前記台数制御部に電源オフを含む障害が発生し、前記台数制御部が正常に動作できなくなること、又はヘッダ圧力が下がり過ぎて、バックアップ用に設けられた圧力スイッチが働き、前記ボイラに手動運転指令が出ること、又は前記ヘッダ圧力値を測定する前記蒸気圧測定手段に障害が発生し、前記ボイラに手動運転指令が出ること、を含むことができる。
【発明の効果】
【００１７】
本発明によれば、複数台の連続制御ボイラからなるボイラ群により構成されるボイラシステムにおいて、特に、蒸気負荷が低負荷の場合、仮に台数制御装置に異常が発生して、全ボイラを自動運転から手動運転に切り換えたときに、ボイラ圧力値が大幅に上昇し、全てのボイラが燃焼停止状態となる全台待機を回避させるとともに、ボイラシステムが全台待機と全台燃焼を繰り返すハンチング動作を防止し、ボイラ圧力値を所定の目標圧力値に収束させて、圧力の安定性を向上できるボイラシステムを提供することができる。
【図面の簡単な説明】
【００１８】
【図１】本発明の第１実施形態に係るボイラシステム１の概略を示す図である。
【図２】ボイラ群の概略を示す図である。
【図３】本発明の第１実施形態に係る制御部４の構成を示す機能ブロック図である。
【図４】第１実施形態に係る制御上限圧力割当圧力帯域の一例を示す図である。
【図５】第１実施形態に係る仮想台数制御上限圧力値（ｉ）の設定の一例を示す図である。
【図６】従来の切換え制御を実施した場合における、自動運転ボイラ全台を手動運転に切り換えた場合のヘッダ圧力の推移を示す図である。
【図７】第１実施形態に係る切換え制御を実施した場合における、自動運転ボイラ全台を手動運転に切り換えた場合のヘッダ圧力の推移を示す図である。
【図８】第２実施形態に係る制御部４の構成を示す機能ブロック図である。
【図９】第２実施形態に係る仮想台数制御上限圧力値（ｉ）の設定の一例を示す図である。
【発明を実施するための形態】
【００１９】
〔第１実施形態〕
以下、図面を参照して、本発明の第１実施形態に係るボイラシステム１について説明する。図１は、ボイラシステム１の概略を示す図である。
【００２０】
図１に示すように、ボイラシステム１は、複数（８台）のボイラ２０を含むボイラ群２と、ボイラ２０において生成された蒸気を集合させる蒸気集合部としての蒸気ヘッダ６と、蒸気圧測定手段としての蒸気圧センサ７と、台数制御装置３と、を備える。
ここで、ボイラ２０は、燃焼率を連続的に変更して燃焼可能な連続制御ボイラである。
ボイラ群２は、負荷機器としての蒸気使用設備１８に供給する蒸気を生成する。
【００２１】
蒸気ヘッダ６の上流側は、蒸気管１１を介してボイラ群２（各ボイラ２０）に接続されている。蒸気ヘッダ６の下流側は、蒸気管１２を介して蒸気使用設備１８に接続されている。蒸気ヘッダ６は、ボイラ群２で発生させた蒸気を集合させて貯留することにより各ボイラ２０の相互の圧力差及び圧力変動を調整し、圧力が調整された蒸気を蒸気使用設備１８に供給するようになっている。
【００２２】
蒸気圧センサ７は、信号線１３を介して、台数制御装置３に電気的に接続されている。蒸気圧センサ７は、ヘッダ圧力値を測定し、測定した蒸気圧信号を、信号線１３を介して台数制御装置３に送信する。
【００２３】
ボイラシステム１は、ボイラ群２で発生させた蒸気を、蒸気ヘッダ６を介して、蒸気によって運転される蒸気使用設備１８に供給可能とされている。
ボイラシステム１において要求される負荷（要求負荷）は、蒸気使用設備１８における蒸気消費量である。台数制御装置３は、台数制御時において、この蒸気消費量に対応して生じる蒸気ヘッダ６の内部の蒸気圧の変動を、蒸気圧センサ７が測定するヘッダ圧力値（物理量）に基づいて算出し、ヘッダ圧力値が目標圧力値に一致するようにボイラ群２を構成する各ボイラ２０の燃焼量を制御する。
【００２４】
より具体的には、台数制御装置３は、ＰＩ又はＰＩＤアルゴリズムによりヘッダ圧力値を目標圧力値にするために必要な蒸気量（必要蒸気量）を算出し、算出した蒸気量に基づいて自動運転ボイラの燃焼量（燃焼率）を制御する。これにより、自動運転ボイラから蒸気ヘッダ６に供給される蒸気量が調節されるため、ヘッダ圧力値を目標圧力値に近づけることができる。
なお、台数制御装置の詳細については後述する。
【００２５】
ボイラ２０は、燃焼率を連続的に変更して燃焼可能な連続制御ボイラである。図２に示すように、連続制御ボイラとは、少なくとも、最小燃焼状態Ｓ１（例えば、最大燃焼率の２０％の燃焼量における燃焼状態）から最大燃焼状態Ｓ２の範囲で、燃焼量が連続的に制御可能とされているボイラである。連続制御ボイラは、例えば、燃料をバーナに供給するバルブや、燃焼用空気を供給するバルブの開度（燃焼比）を制御することにより、燃焼量を調整するようになっている。
【００２６】
また、燃焼量を連続的に制御するとは、後述のローカル制御部２２における演算や信号がデジタル方式とされて段階的に取り扱われる場合（例えば、ボイラ２０の出力（燃焼量）が１％刻みで制御される場合）であっても、事実上連続的に出力を制御可能な場合を含む。
【００２７】
本実施形態におけるボイラは、ボイラ２０の燃焼停止状態Ｓ０と最小燃焼状態Ｓ１との間の燃焼状態の変更については、ボイラ２０（バーナ）の燃焼をオン／オフすることで制御される。そして、最小燃焼状態Ｓ１から最大燃焼状態Ｓ２の範囲においては、燃焼量が連続的に制御可能となっている。
より具体的には、複数のボイラ２０それぞれには、変動可能な蒸気量の単位である単位蒸気量Ｕが設定されている。これにより、ボイラ２０は、最小燃焼状態Ｓ１から最大燃焼状態Ｓ２の範囲においては、単位蒸気量Ｕ単位で、蒸気量を変更可能となっている。
【００２８】
単位蒸気量Ｕは、ボイラ２０の最大燃焼状態Ｓ２における蒸気量（最大蒸気量）に応じて適宜設定できるが、ボイラシステム１における出力蒸気量の必要蒸気量に対する追従性を向上させる観点から、ボイラ２０の最大蒸気量の０．１％〜２０％に設定されることが好ましく、１％〜１０％に設定されることがより好ましい。
【００２９】
複数のボイラ２０のそれぞれは、信号線１６を介して台数制御装置３と電気的に接続され、台数制御装置３の制御により燃焼状態（燃焼量）が制御される。また、複数のボイラ２０のそれぞれは、運転者の操作により又は自動的に台数制御装置３の制御から切り離された場合、運転者の手動制御により燃焼状態が制御される。
【００３０】
以上説明したボイラ２０は、図１に示すように、燃焼が行われるボイラ本体２１と、ボイラ２０の燃焼状態を制御するローカル制御部２２と、ボイラ圧力値を測定するボイラ圧力検出部と、を備える。
ローカル制御部２２は、蒸気消費量に応じてボイラ２０の燃焼状態を変更させる。具体的には、ローカル制御部２２は、信号線１６を介して台数制御装置３から送信される制御信号又は運転者の手動操作により入力された制御信号に基づいて、ボイラ２０の燃焼状態を制御する。また、ローカル制御部２２は、台数制御装置３で用いられる信号を、信号線１６を介して台数制御装置３に送信する。台数制御装置３で用いられる信号としては、ボイラ２０の実際の燃焼状態、及びその他のデータ等が挙げられる。
ローカル制御部２２は、ボイラ２０に対して行われた指示の内容や、ボイラ２０から受信した燃焼状態等の情報、ボイラ２０の単位蒸気量Ｕの設定に関する情報を、ローカル記憶部（図示せず）に記憶する。
【００３１】
また、ローカル記憶部には、前述したように、ボイラ２０の圧力設定値として、ローカル目標圧力値、停止圧力値、及び停止圧力ディファレンシャルを設定することができる。
そうすることで、ボイラ２０を手動運転させる場合、ローカル制御部２２は、ボイラ圧検出部２３により測定されるボイラ圧力値がローカル目標圧力値に一致するようにボイラ２０の燃焼状態を制御する。
また、ボイラ圧力値が停止圧力値を超えると、ボイラ２０の燃焼を停止するように燃焼制御される。また、ボイラ圧力値が、ローカル制御下限圧力値を下回ると、燃焼を開始するように燃焼制御される。
【００３２】
以上のように構成されたボイラシステム１では、ボイラ群２で発生させた蒸気が、蒸気ヘッダ６を介して蒸気使用設備１８に供給される。
【００３３】
［台数制御装置３］
台数制御装置３は、蒸気圧センサ７からの蒸気圧信号に基づいて、要求負荷に応じたボイラ群２の目標蒸気量、及び目標蒸気量に対応する各ボイラ２０の燃焼状態を算出し、各ボイラ２０（ローカル制御部２２）に台数制御信号を送信する。この台数制御装置３は、図１に示すように、記憶部５と制御部４とを備え、信号線１６を介して各ボイラ２０に電気的に接続されている。
【００３４】
制御部４は、信号線１６を介してボイラ２０に各種の指示を送信したり、各ボイラ２０から各種のデータを受信したりして、ボイラ２０の燃焼状態及び運転台数の制御を実行する。各ボイラ２０は、台数制御装置３から燃焼状態の変更指示の信号を受けると、その指示に従って該当するボイラ２０の燃焼量を制御する。なお、制御部４は、信号線１６を介して自動運転ボイラのみならず、手動運転ボイラの燃焼状態に関する情報を受信する。
【００３５】
制御部４は、ヘッダ圧力値に基づくフィードバック制御により各自動運転ボイラ２０の燃焼状態を制御する。すなわち、制御部４は、蒸気ヘッダ６の蒸気圧力と目標圧力値との偏差に対して、所定のＰＩ又はＰＩＤアルゴリズムに基づくフィードバック制御を行うことで、ヘッダ圧力が目標圧力値となるために必要な蒸気量を算出し、算出した蒸気量を発生するように自動運転ボイラ２０を制御する。
制御部４の詳細な構成については後述する。
【００３６】
記憶部５は、台数制御装置３（制御部４）の制御により各ボイラ２０に対して行われた指示の内容や、各ボイラ２０から受信した燃焼状態等の情報、各ボイラ２０の単位蒸気量Ｕの設定に関する情報、後述する複数のボイラ２０の優先順位の設定に関する情報、優先順位の変更（ローテーション）に関する設定の情報等を記憶する。
【００３７】
また、記憶部５は、蒸気圧センサ７により測定される蒸気圧に係る設定条件として、目標圧力値を記憶することができる。また、記憶部５は、当該目標圧力値に関連した制御上限圧力値を記憶することができる。なお、制御上限圧力値は目標圧力値とは独立して設定することもできる。また、記憶部５は、当該制御上限圧力値に関連した制御上限圧力ディファレンシャルを記憶することができる。
【００３８】
次に、制御部４の構成について、さらに詳細に説明する。
第１実施形態では、制御部４は、通常状態では、ＰＩ又はＰＩＤアルゴリズムによりヘッダ圧力値を目標圧力値にするために必要な蒸気量（必要蒸気量）を算出し、算出した蒸気量に基づいて自動運転ボイラの燃焼量（燃焼率）を制御する。
一方、制御部４に何らかの異常が発生し、制御部４が正常に動作できなくなり、各ボイラを台数制御することできなった場合に、全てのボイラ２０を自動運転から手動運転に移行させる。その際に、各ボイラ２０のローカル制御部２２に設定される圧力設定値である、停止圧力値、ローカル目標圧力値、及び停止圧力ディファレンシャル（又はローカル制御下限圧力値）を、制御部４が正常状態のときに、予め制御部４により、各ボイラ２０のローカル制御部２２に配信しておくことで、全ボイラを自動運転から手動運転に切り換えった直後に、全てのボイラ２０が燃焼して、各ボイラ圧力値が大幅に上昇しても、全てのボイラが同時に燃焼停止状態となる全台待機を回避するとともに、ボイラの過剰な燃焼と停止を頻繁に繰り返す、いわゆるハンチング現象を防止する。そして、ローカル制御部２２は、各ボイラ２０のボイラ圧力値を所定のローカル目標圧力値に収束させて、圧力の安定性を向上できるように、各ボイラ２０の燃焼状態を制御することを可能とする。
このような制御を実現するため、図３に示すように、制御部４は、全台待機部４１と、圧力帯域算出部４２と、仮想台数制御上限圧力値設定部４３と、仮想台数制御上限圧力値配信部４４と、台数制御異常検出部４５と、手動運転移行部４６と、優先順位設定部４７と、を含んで構成される。
【００３９】
［全台待機部４１］
全台待機部４１は、蒸気圧センサ７により測定されるヘッダ圧力値が目標圧力値を上回り、制御上限圧力値を超える場合、燃焼している全てのボイラ２０の燃焼を停止させる。
【００４０】
［圧力帯域算出部４２］
圧力帯域算出部４２は、ボイラシステム１に設定された目標圧力値に、ボイラの燃焼中に配管内において発生する圧損の値を加算した、第１目標圧力値を算出する。後述するように、第１目標圧力値は、各ボイラ２０のローカル目標圧力値としての仮想台数制御目標圧力値を設定するためのものである。すなわち、各ボイラ２０の手動運転時に、各ローカル制御部２２は、各ボイラ２０のボイラ圧力値が第１目標圧力値に一致するように、各ボイラ２０を燃焼制御する。
そうすることで、ボイラシステム１の手動移行前と手動移行後において、各ローカル制御部２２が各ボイラ２０のボイラ蒸気圧値が第１目標圧力値に一致するように制御することで、ヘッダ圧力値はボイラシステム１の手動移行前に設定された目標圧力値と実質的に同じ値となり、移行を円滑に行わせることができる。
なお、各ボイラ２０のローカル目標圧力値を、各ボイラ２０で異なる値とした場合、蒸気負荷が中〜高負荷時において、安定する圧力が変化する事象が発生する。このため、各ボイラ２０の仮想台数制御目標圧力値は同じとすることが好ましい。
【００４１】
圧力帯域算出部４２は、ボイラシステム１に設定された制御上限圧力値及び目標圧力値のそれぞれに、所定の値を加算した、第１制御上限圧力値及び第２制御上限圧力値をそれぞれ、上限値及び下限値とする制御上限圧力割当圧力帯域を算出する。
所定の値として、例えば、ボイラ２０の燃焼中に配管内において発生する圧損の値とすることができる。この場合、第２制御上限圧力値は、第１目標圧力値すなわち、各ボイラ２０のローカル目標圧力値としての仮想台数制御目標圧力値と一致することになる。また、仮にボイラ２０の停止圧力値を第１制御上限圧力値に設定した場合は、配管内において発生する圧損の値を考慮すると、実質的にボイラ群２の制御上限圧力と同じ値となる。
【００４２】
また、圧力帯域算出部４２は、第１制御上限圧力値をボイラシステム１に設定された制御上限圧力値に圧損の値のみを加算して算出し、他方第２制御上限圧力値を目標圧力値に圧損の値に第１圧力値を加算した値を加算して算出してもよい。
そうすることで、仮にボイラ２０の停止圧力値を第１制御上限圧力値に設定した場合は、配管内において発生する圧損の値を考慮すると、実質的にボイラ群２の制御上限圧力と同じ値となる。この場合、第２制御上限圧力値は、第１目標圧力値すなわち、各ボイラ２０のローカル目標圧力値としての仮想台数制御目標圧力値よりも第１圧力値分大きな値となる。したがって、ボイラ２０に第２制御上限圧力値を停止圧力に設定したと仮定しても、ローカル目標圧力値を第１圧力値分、超えなければ燃焼停止させることはない。
【００４３】
また、圧力帯域算出部４２は、第１制御上限圧力値及び第２制御上限圧力値のそれぞれに、圧損の値に第１圧力値を加算した値を加算して算出してもよい。この場合、仮にボイラ２０の停止圧力値を第１制御上限圧力値に設定した場合は、配管内において発生する圧損の値を考慮すると、実質的にボイラ群２の制御上限圧力に第１圧力値を加算した値となる。
【００４４】
例えば、ボイラシステム１に設定された制御上限圧力値及び目標圧力値をそれぞれ、１．４０ＭＰａ、及び１．３０ＭＰａとし、ボイラの燃焼中に配管内において発生する圧損の値をα、第１圧力値を０．０３０ＭＰａとする。
この場合、図４に示すように、圧力帯域算出部４２は、第１制御上限圧力値をボイラシステム１に設定された制御上限圧力値（１．４０ＭＰａ）に圧損の値αのみを加算して算出し、第２制御上限圧力値を目標圧力値（１．３０ＭＰａ）に圧損の値αに第１圧力値（０．０３０ＭＰａ）を加算した値を加算して算出する。
【００４５】
また、圧力帯域算出部４２は、第１目標圧力値から所定の圧力値を減算した、第１制御下限圧力値を算出するように構成することができる。後述するように、第１制御下限圧力値は、ローカル制御下限圧力値としての仮想台数制御下限圧力値を設定するためのものである。すなわち、ボイラ２０の手動運転時に、ローカル制御部２２は、ボイラ２０のボイラ圧力値が仮想台数制御下限圧力値を下回ると、ボイラ２０の燃焼を開始するように燃焼制御する。
【００４６】
［仮想台数制御上限圧力値設定部４３］
仮想台数制御上限圧力値設定部４３は、圧力帯域算出部４２により算出した第１目標圧力値及び第１制御下限圧力値をそれぞれ、各ボイラ２０のローカル目標圧力値としての仮想台数制御目標圧力値、及びローカル制御下限圧力値としての仮想台数制御下限圧力値として設定する。
【００４７】
また、仮想台数制御上限圧力値設定部４３は、図５に示すように圧力帯域算出部４２により算出した制御上限圧力割当圧力帯域から、ボイラ２０の台数分（８台）の圧力値を選択し、選択した各圧力値をそれぞれ各ボイラ２０の仮想台数制御上限圧力値（ｉ）｛１≦ｉ≦８｝として設定する。
なお、ボイラ２０の台数分（８台）の圧力値のボイラ２０への設定に際しては、後述するように、ボイラ２０の優先順位に基づいて設定することができる。
【００４８】
ここで、仮想台数制御上限圧力値は、ボイラ２０の手動運転時に、各ボイラ２０の停止圧力値として設定するためのものである。すなわち、ボイラ２０の手動運転時に、各ローカル制御部２２は、各ボイラ２０のボイラ圧力値が当該ボイラ２０に設定された仮想台数制御上限圧力値を超えると、各ボイラ２０の燃焼を停止させるように燃焼制御する。
なお、仮想台数制御上限圧力値の選択に際しては、それぞれの値が異なるように、制御上限圧力割当圧力帯域のなかで、ずらすように選択することが好ましい。
こうすることで、負荷量の変動があったとき、設定された仮想台数制御上限圧力値に従って各ボイラを、順次燃焼停止させることが可能となる。
なお、仮想台数制御上限圧力値（ｉ）（１≦ｉ≦８）の選択において、いくつかの値が同一の値になるように選択することを妨げない。
【００４９】
ここで、ボイラ２０の優先順位に基づいて、選択した各圧力値を各ボイラ２０の仮想台数制御上限圧力値として設定する処理について説明する。
【００５０】
優先順位設定部４７は、ボイラ群２に含まれるボイラ２０に優先順位を設定する。
優先順位は、例えば整数値を用いて、数値が小さいほど優先順位が高くなるよう設定することができる。図２に示すように、ボイラ２０の１号機〜８号機のそれぞれに「１」〜「８」の優先順位が割り当てられている場合、１号機の優先順位が最も高く、８号機の優先順位が最も低い。
優先順位設定部４７は、所定の時間間隔（例えば、２４時間間隔）で、優先順位を変更することができる。
【００５１】
優先順位は、通常、燃焼指示や燃焼停止指示等を行うボイラ２０を選択するために用いられるが、本実施形態においては、仮想台数制御上限圧力値設定部４３が選択した仮想台数制御上限圧力値（ｉ）（１≦ｉ≦８）を各ボイラ２０の仮想台数制御上限圧力値として設定する際に用いる。
例えば、大きな値をとる仮想台数制御上限圧力値（ｉ）（１≦ｉ≦８）を優先順位の高いボイラ２０に設定することができる。
図５を参照すると、数値ｉが小さいほど仮想台数制御上限圧力値（ｉ）（１≦ｉ≦８）大きな値をとることから、仮想台数制御上限圧力値（ｉ）（１≦ｉ≦８）を、それぞれｉ号機（１≦ｉ≦８）のボイラに設定することができる。
【００５２】
［仮想台数制御上限圧力値配信部４４］
仮想台数制御上限圧力値配信部４４は、仮想台数制御上限圧力値設定部４３により各ボイラ２０に設定された仮想台数制御目標圧力値、仮想台数制御上限圧力値、及び仮想台数制御下限圧力値を各ボイラ２０に配信する。
【００５３】
各ボイラ２０は、仮想台数制御上限圧力値配信部４４から配信された、仮想台数制御目標圧力値、仮想台数制御上限圧力値、及び仮想台数制御下限圧力値を、ローカル記憶部にボイラ２０の圧力設定値として設定する。
【００５４】
［台数制御異常検出部４５］
台数制御異常検出部４５は、制御部４に異常が発生したことを検知する。
ここで、制御部４に発生する異常としては、例えば、制御部４とボイラ２０との間で通信不良が発生し、制御部４からボイラ２０に対する台数制御信号が不通になること、制御部４に電源オフを含む障害が発生し、制御部４が正常に動作できなくなること、ヘッダ圧力値が下がり過ぎて、バックアップ用に設けられた圧力スイッチが働き、ボイラ２０に手動運転指令が出ること、ヘッダ圧力値を測定する蒸気圧センサ７に障害が発生し、ボイラ２０に手動運転指令が出ること等が挙げられる。
【００５５】
［手動運転移行部４６］
手動運転移行部４６は、台数制御異常検出部４５が制御部４に異常が発生したことを検知したとき、全ボイラ２０を手動運転に移行させる。
【００５６】
以上の構成により、制御部４に異常が発生し、制御部４が正常に動作できなくなり、各ボイラを台数制御することができなくなった場合に、全てのボイラ２０を自動運転から手動運転に移行させ、各ローカル制御部２２は各ボイラ２０の燃焼状態を、ボイラ圧検出部２３により測定されるボイラ圧力値に基づいて、仮想台数制御目標圧力値、仮想台数制御上限圧力値、及び仮想台数制御下限圧力値により、ボイラ２０の燃焼状態を制御する。
【００５７】
具体的には、制御部４に異常が発生し、制御部４が正常に動作できなくなり、各ボイラを台数制御することができなくなった場合に、自動運転から手動運転時に切換えると、各ローカル制御部２２は、各ボイラ２０のボイラ圧力値が、仮想台数制御目標圧力値に一致するように、燃焼制御する。
ここで、仮想台数制御目標圧力値は、ボイラシステム１の手動移行前におけるヘッダ圧力値の目標圧力値にボイラ２０の燃焼中に配管内において発生する圧損の値を加算した値であることから、ボイラシステム１の手動移行前と手動移行後において、各ローカル制御部２２が各ボイラ２０のボイラ蒸気圧値が仮想台数制御目標圧力値に一致するように制御することで、ヘッダ圧力値はボイラシステム１の手動移行前に設定された目標圧力値と実質的に同じ値となり、移行を円滑に行わせることができる。
【００５８】
また、各ボイラ２０（ｉ号機）（８≧ｉ≧１）のボイラ圧力値が各ボイラ２０に設定される仮想台数制御上限圧力値（ｉ）を超えると、ローカル制御部２２は、ボイラ２０の燃焼を停止させるように燃焼制御する。
【００５９】
したがって、全ボイラが自動運転から手動運転に切り換えられた直後に、全てのボイラが燃焼して、各ボイラ圧力値が大幅に上昇したと仮定しても、各ボイラ２０は、各ボイラ２０に設定される仮想台数制御上限圧力値（ｉ）を超えると、順次燃焼停止するため、全てのボイラが同時に燃焼停止状態となる全台待機を回避するとともに、ボイラの過剰な燃焼と停止を頻繁に繰り返す、いわゆるハンチング現象を防止することが可能となる。
【００６０】
次に、ボイラシステム１において、蒸気負荷が低負荷の場合、例えば、蒸気負荷が全ボイラが最大燃焼率の２０％の燃焼量として出力する出力蒸気量を下回る低負荷の場合に、制御部４に異常が発生して、ボイラ群２が自動運転から手動運転に切換えられた場合の動作について、図６及び図７を参照して説明する。
【００６１】
図６及び図７において、横軸は経過時間（秒）を、左縦軸はボイラ圧力値（ＭＰａ）を、右縦軸はヘッダ圧力値（ＭＰａ）を、それぞれ示している。したがって、左縦軸のボイラ圧力値と右縦軸のヘッダ圧力値とは圧損αの差がある。
【００６２】
図６は、従来の切換え制御を実施した場合（すなわち、全ボイラ２０の圧力設定値（特に停止圧力値）を同じ値とした場合）における、ヘッダ圧力値の推移を示す図である。これに対して、図７は、本発明の第１実施形態に係る切換え制御を実施した場合における、ヘッダ圧力値の推移を示す図である。
【００６３】
＜従来例＞
図６を参照して、制御部４が、従来の切換え制御を実施した場合（すなわち、全ボイラ２０の圧力設定値（特に停止圧力値）を同じ値とした場合）における、ヘッダ圧力値の時間的変化について説明する。
【００６４】
前述したとおり、従来の切換え制御を実施した場合、図６に示すように、時間ｔ０において、ボイラ群２が自動運転から手動運転に切換えられ、各ボイラ２０は、ローカル制御部２２により、独立して制御される。
そして、各ボイラ２０の圧力設定値が同じであることから、各ボイラ２０は、例えば最大燃焼率の２０％で燃焼し、各ボイラ２０のボイラ圧力値の上昇に伴い、ヘッダ圧力値が上昇する。時間ｔ１において、各ボイラ２０のボイラ圧力値が停止圧力値を超えると、全てのボイラ２０が一斉に燃焼停止となる。
その後、図示しないが、各ボイラ２０のボイラ圧力値の下降に伴い、ヘッダ圧力値が下降する。そして、各ボイラ２０のボイラ圧力値が各ボイラ２０の制御下限圧力値を下回ると、燃焼を開始するように燃焼制御され、全てのボイラ２０が一斉に燃焼を開始することとなる。
このように、蒸気負荷が低負荷の場合、従来の切換え制御を実施した場合、各ボイラ２０の燃焼と停止との繰り返し（以下「発停の繰り返し」ともいう）が発生し、圧力が不安定になる可能性が高い。
【００６５】
＜第１実施形態に係る切換え制御を実施した場合＞
これに対して、図７を参照して、制御部４が、本発明の第１実施形態に係る切換え制御を実施した場合における、ヘッダ圧力値の時間的変化について説明する。
【００６６】
蒸気負荷が低負荷の場合、例えば、蒸気負荷が全ボイラが最大燃焼率の２０％の燃焼量として出力する出力蒸気量を下回る低負荷の場合に、第１実施形態に係る台数制御を実施した場合、図７に示すように、時間ｔ０において、ボイラ群２が自動運転から手動運転に切換えられ、各ボイラ２０は、ローカル制御部２２により、独立して制御される。
【００６７】
そして、各ボイラ２０は、例えば最大燃焼率の２０％で燃焼し、各ボイラ２０のボイラ圧力値の上昇に伴い、ヘッダ圧力値が上昇する。そして、時間ｔ１において、８号機のボイラ２０のボイラ圧力値が仮想台数制御上限圧力値（８）を超えると、８号機のボイラ２０は燃焼停止される。
その後、時間ｔ２において、７号機のボイラ２０のボイラ圧力値が仮想台数制御上限圧力値（７）を超えると、７号機のボイラ２０は燃焼停止される。
さらに、時間ｔ３において、６号機のボイラ２０のボイラ圧力値が仮想台数制御上限圧力値（６）を超えると、６号機のボイラ２０は燃焼停止される。
以下同様に、時間ｔ４、ｔ５、及びｔ６において、それぞれ５号機のボイラ２０、４号機のボイラ２０、及び３号機のボイラが、燃焼停止される。
【００６８】
その後、燃焼状態にあるボイラは、１号機と２号機のみとなり、ボイラ圧力値が下降するとともに、ヘッダ圧力値が下降する。
こうすることで、自動運転から手動運転に切り換えられた直後の全台待機を回避することができ、ボイラ２０の発停の抑止、及びヘッダ圧力の低下度合を低減することが可能となり、圧力の安定性を確保することができる。
【００６９】
第１実施形態のボイラシステム１によれば、例えば、次の効果が奏される。
第１実施形態のボイラシステム１においては、制御部４に異常が発生し、自動運転から手動運転に切換えられた場合に、各ボイラ２０の停止圧力値が、予め仮想台数制御上限圧力値配信部４４により配信された、仮想台数制御上限圧力値に設定されていることから、ボイラ２０は、全台が同時に燃焼停止することはなく、各ボイラを順次燃焼停止させることができる。
【００７０】
そのため、第１実施形態によれば、手動運転に切り換えられた場合において、蒸気負荷が中負荷から高負荷のときにおいては、自動運転時（台数制御時）と同様の圧力安定性を確保することができ、他方、蒸気負荷が低負荷のときにおいても、ボイラ２０の燃焼停止をずらせて行うことができるため、全台待機を抑制することを可能とし、ボイラの発停の抑止及び圧力低下度合を低減することができる。
【００７１】
また、第１実施形態のボイラシステム１においては、第１制御上限圧力値及び第２制御上限圧力値として、ボイラシステム１の制御上限圧力値及び目標圧力値のそれぞれに、ボイラ２０の燃焼中に配管内において発生する圧損の値又は圧損の値に所定の圧力値を加算した値とするとともに、第１目標圧力値を目標圧力値に、ボイラ２０の燃焼中に配管内において発生する圧損の値を加算した値とすることができる。
【００７２】
そのため、第１実施形態によれば、制御部４に異常が発生し、自動運転から手動運転に切換えられた場合において、ヘッダ圧力値を自動運転時（台数制御時）の目標圧力値と実質的に同じ圧力値で維持させることができ、圧力安定性を確保することができる。
【００７３】
［第２実施形態］
第１実施形態では、仮想台数制御上限圧力値設定部４３は、圧力帯域算出部４２により算出した制御上限圧力割当圧力帯域から、ボイラ２０の台数分の圧力値を選択し、選択した各圧力値をそれぞれ各ボイラ２０の仮想台数制御上限圧力値として設定した。その際に、圧力値の選択においては、全てのボイラ２０に設定された圧力値が全て異なることを限定したものではない。
また、それぞれの値が異なるように、また制御上限圧力割当圧力帯域のなかで、ずらすように選択する場合においても、必ずしも制御上限圧力割当圧力帯域を等分に分割することに限定したものではない。
これに対して、第２実施形態の仮想台数制御上限圧力値設定部４３は、制御上限圧力割当圧力帯域を等分に分割した値を圧力値として選択する。
【００７４】
以下、第２実施形態については、主として、第１実施形態と異なる点を中心に説明し、第１実施形態と同様な構成については詳細な説明を省略する。第２実施形態において、特に説明しない点は、第１実施形態についての説明が適宜適用される。また、第２実施形態においても第１実施形態と同様な効果が奏される。
【００７５】
第２実施形態における仮想台数制御上限圧力値設定部４３は、図８に示すように、圧力帯域分割部４３１と、圧力値選択部４３２と、を含む。
圧力帯域分割部４３１は、制御上限圧力割当圧力帯域を、ボイラ群２のボイラ台数ｎ（ｎ＞１）から１を減算した値（ｎ−１）で分割する。
圧力値選択部４３２は、第１制御上限圧力値から第２制御上限圧力値を含む、制御上限圧力割当圧力帯域を分割した境界線の圧力値の大きい値から順番に、ボイラ群２のボイラ台数分ｎ個の圧力値として選択する。
【００７６】
より具体的には、圧力帯域分割部４３１は、圧力帯域算出部４２により算出された制御上限圧力割当圧力帯域を制御ボイラ台数ｎから１を減じた値（ｎ−１）で分割する。そうして得られる境界線の圧力値をｎ台の各ボイラの仮想台数制御上限圧力値（ｉ）として設定する。
仮想台数制御上限圧力値の大きな値から順番にｉ番目（１≦ｉ≦ｎ）とすると、仮想台数制御上限圧力値（ｉ）は、式１で算出される。
仮想台数制御上限圧力値（ｉ）
＝  第１制御上限圧力値
−（ｉ−１）×｛（第１制御上限圧力値−第２制御上限圧力値）／（ｎ−１）｝
（式１）
【００７７】
例えば、図９に示すように、圧力帯域算出部４２により、第１制御上限圧力値を１．４０ＭＰａ＋α、第２制御上限圧力値を１．３３ＭＰａ＋αと設定された場合、圧力帯域分割部４３１は、第１制御上限圧力値と第２制御上限圧力値との差分０．７ＭＰａを７で割ることにより、０．０１ＭＰａを算出し、第１制御上限圧力値を含む境界線の圧力値を求める。
そうすると、仮想台数制御上限圧力値（１）として、第１制御上限圧力値１．４０ＭＰａ＋αを、仮想台数制御上限圧力値（２）として、１．３９ＭＰａ＋αを、仮想台数制御上限圧力値（３）として、１．３８ＭＰａ＋αを、仮想台数制御上限圧力値（４）として、１．３７ＭＰａ＋α等を、仮想台数制御上限圧力値（８）として、１．３３ＭＰａ＋αを得る。
【００７８】
なお、ボイラ台数がｎ台の場合には、圧力値選択部４３２は、式１で算出される仮想台数制御上限圧力値（ｉ）（１≦ｉ≦ｎ）をボイラ群２の各ボイラ２０圧力値として選択する。
この際、優先順位の高いボイラ２０から順番に仮想台数制御上限圧力値（ｉ）を選択することが好ましい。
【００７９】
例えば、図９を参照すると、圧力値選択部４３２は、１号機に１．４０ＭＰａ＋α、２号機に１．３９ＭＰａ＋α、３号機に１．３８ＭＰａ＋α、４号機に１．３７ＭＰａ＋α等、８号機に１．３３ＭＰａ＋αを選択する。
【００８０】
そうすることで、制御部４に異常が発生し、自動運転から手動運転に切換えられた場合においても、ボイラ２０の停止圧力値を、予め仮想台数制御上限圧力値配信部４４により配信された、仮想台数制御上限圧力値に設定されていることから、ボイラ２０は、全台が同時に燃焼停止することはなく、各ボイラを順次燃焼停止させることができる。
【００８１】
そのため、第２実施形態によれば、制御部４に異常が発生し、自動運転から手動運転に切換えられた場合においても、蒸気負荷が中負荷から高負荷のときにおいては、自動運転時（台数制御時）と同様の圧力安定性を確保することができ、他方、蒸気負荷が低負荷のときにおいても、ボイラ２０の燃焼停止を、制御上限圧力割当圧力帯域を制御ボイラ台数ｎから１を減じた値（ｎ−１）で等分割した圧力値で、行わせることができるため、第１実施形態に比較してより効率的に順次燃焼停止させることができる。
【００８２】
以上、好適な実施形態について説明したが、本発明は、前述した第１実施形態又は第２実施形態に限定されることなく、種々の形態で実施することができる。
【００８３】
例えば、第１実施形態乃至第２実施形態では、全てのボイラ２０において圧損の値に同一の値を設定したが、ボイラ２０の位置に応じて配管経路が異なることにより圧損の値が同一の値とならない可能性があること、また圧力検出誤差等のボイラ個体差によるずれが発生する可能性等もあることから、各ボイラ２０において、圧損の値に異なる値を設定してもよい。
【００８４】
例えば、第１実施形態乃至第２実施形態では、連続制御ボイラ２０を、全て同一のボイラ容量としたが、これに限らない。すなわち、ボイラ２０毎にその最小燃焼量、単位蒸気量、最大燃焼量としての燃焼能力が異なる場合にも適用可能である。
【００８５】
また、例えば、第１実施形態乃至第２実施形態では、本発明を、８台の連続制御ボイラ２０からなるボイラ群２を備えるボイラシステムに適用したが、これに限らない。すなわち、本発明を、２台〜７台、又は９台以上のボイラからなるボイラ群を備えるボイラシステムに適用してもよい。
【符号の説明】
【００８６】
１  ボイラシステム
２  ボイラ群
３  台数制御装置
４  制御部
５  記憶部
６  蒸気ヘッダ（蒸気集合部）
７  蒸気圧センサ（蒸気圧測定手段）
１８  蒸気使用設備（負荷機器）
２０  ボイラ
４１  全台待機部
４２  圧力帯域算出部
４３  仮想台数制御上限圧力値設定部
４３１  圧力帯域分割部
４３２  圧力値選択部
４４  仮想台数制御上限圧力値配信部
４５  台数制御異常検出部
４６  手動運転移行部
４７  優先順位設定部
【図１】
2017026292.tif 000003
【図２】
2017026292.tif 000004
【図３】
2017026292.tif 000005
【図４】
2017026292.tif 000006
【図５】
2017026292.tif 000007
【図６】
2017026292.tif 000008
【図７】
2017026292.tif 000009
【図８】
2017026292.tif 000010
【図９】
2017026292.tif 000011